【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
処理方向に移動するよう設定された感光体ベルト（ＰＢ）を含むカラー印刷機に関する予防メンテナンスを検知するコンピュータベースの方法であって、
コンピュータのメモリ素子内に、
少なくとも１つの閾値と、
コンピュータ可読命令と、
前記ＰＢの表面上の第１の色に関連する、複数のマーキングに関する位置合せデータと、を記憶するステップであって、前記位置合せデータは、前記複数のマーキングのうちの各マーキングに関する、それぞれの実際の位置とそれぞれの元の位置との間の、前記処理方向と直交する横方向の、それぞれの位置合せの差を含む、ステップと、
前記コンピュータに関するプロセッサを用いて前記コンピュータ可読命令を実行して、
前記複数のマーキングのうちの少なくとも１つのマーキングが、前記少なくとも１つの閾値に適合していないことを判定し、
前記複数のマーキングのうちの少なくとも１つのマーキングが、前記少なくとも１つの閾値に適合していないという判定に応じて、前記ＰＢに対してメンテナンスが必要ということを示す信号を、表示のために送信するステップと、を含む、方法。
【請求項２】
前記少なくとも１つの閾値には、第１の距離が含まれ、
前記複数のマーキングのうちの少なくとも１つのマーキングが、前記少なくとも１つの閾値に適合していないことを判定することには、
最も小さいそれぞれの位置合せの差を有する第１のマーキングを特定することと、
最も大きいそれぞれの位置合せの差を有する第２のマーキングを特定することと、
前記最も小さいそれぞれの位置合せの差と、前記最も大きいそれぞれの位置合せの差との間の第１の差を判定することと、
前記第１の差が、前記第１の距離より大きいことを判定することが含まれる、請求項１に記載のコンピュータベースの方法。
【請求項３】
前記ＰＢ全体が、前記処理方向に全長を有し、前記プロセッサを用いて前記コンピュータ可読命令を実行して、前記第１のマーキングと前記第２のマーキングとの間の前記処理方向の距離を判定するステップをさらに含み、前記複数のマーキングのうちの少なくとも１つのマーキングが、前記少なくとも１つの閾値に適合していないことを判定するステップには、前記距離が前記全長の２分の１とほぼ同じ場合のみ、前記判定を行うことが含まれる、請求項２に記載のコンピュータベースの方法。
【請求項４】
前記少なくとも１つの閾値には、第２の距離が含まれ、
複数のマーキングのうちの少なくとも１つのマーキングが、前記少なくとも１つの閾値に適合していないことを判定するステップには、前記第１の差が前記第２の距離より小さいことを判定することが含まれる、請求項３に記載のコンピュータベースの方法。
【請求項５】
前記ＰＢは前記処理方向に第１の端と第２の端とを含み、
前記複数のマーキングには、
前記第１の端に隣接する第１の複数の内側のマーキングと、
前記第２の端に隣接する第２の複数の外側のマーキングと、が含まれ、
前記複数のマーキングのうちの少なくとも１つのマーキングが、前記少なくとも１つの閾値に適合していないことを判定するステップには、少なくとも１つの内側のマーキング及び少なくとも１つの外側のマーキングの両方が、前記少なくとも１つの閾値に適合していないことを判定することが含まれる、請求項１に記載のコンピュータベースの方法。
【請求項６】
前記少なくとも１つの閾値には、第１の距離が含まれ、
少なくとも１つの内側のマーキング及び少なくとも１つの外側のマーキングの両方が、前記少なくとも１つの閾値に適合していないことを判定することには、
最も小さいそれぞれの位置合せの差を有する第１の内側のマーキング、及び最も小さいそれぞれの位置合せの差を有する第１の外側のマーキングを特定することと、
最も大きいそれぞれの位置合せの差を有する第２の内側のマーキング、及び最も大きいそれぞれの位置合せの差を有する第２の外側のマーキングを特定することと、
前記第１の内側のマーキングに関する前記最も小さいそれぞれの位置合せの差と、前記第２の内側のマーキングに関する前記最も大きいそれぞれの位置合せの差との間の第１の差を判定することと、
前記第１の外側のマーキングに関する前記最も小さいそれぞれの位置合せの差と、前記第２の外側のマーキングに関する前記最も大きいそれぞれの位置合せの差との間の第２の差を判定することと、
前記第１の差及び前記第２の差の両方が、前記第１の距離より大きいことを判定することと、が含まれる請求項５に記載のコンピュータベースの方法。
【請求項７】
前記少なくとも１つの閾値には、第２の距離が含まれ、
少なくとも１つの内側のマーキング及び少なくとも１つの外側のマーキングの両方が、前記少なくとも１つの閾値に適合していないことを判定することには、前記第１の差及び前記第２の差の各々が、前記第２の距離より小さいことを判定することが含まれる、請求項６に記載のコンピュータベースの方法。
【請求項８】
処理方向に移動するよう設定された感光体ベルト（ＰＢ）を含むカラー印刷機に関する予防メンテナンスを検知するコンピュータベースの装置であって、
少なくとも１つの閾値と、コンピュータ可読命令と、前記ＰＢの表面上の第１の色に関連する複数のマーキングに関する位置合せデータとを記憶するよう設定された、コンピュータに関するメモリ素子であって、前記位置合せデータは、前記複数のマーキングのうちの各マーキングに関する、それぞれの実際の位置とそれぞれの元の位置との間の、前記処理方向と直交する横方向の、それぞれの位置合せの差を含む、メモリ素子と、
前記コンピュータ可読命令を実行して、
前記複数のマーキングのうちの少なくとも１つのマーキングが、前記少なくとも１つの閾値に適合していないことを判定し、
前記複数のマーキングのうちの少なくとも１つのマーキングが、前記少なくとも１つの閾値に適合していないという判定に応じて、前記ＰＢに対してメンテナンスが必要ということを示す信号を、表示のために送信するよう設定された、前記コンピュータに関するプロセッサと、を含む、装置。
【請求項９】
前記少なくとも１つの閾値には、第１の距離が含まれ、
前記複数のマーキングのうちの少なくとも１つのマーキングが、前記少なくとも１つの閾値に適合していないことを判定することには、
最も小さいそれぞれの位置合せの差を有する第１のマーキングを特定することと、
最も大きいそれぞれの位置合せの差を有する第２のマーキングを特定することと、
前記最も小さいそれぞれの位置合せの差と、前記最も大きいそれぞれの位置合せの差との間の第１の差を判定することと、
前記第１の差が、前記第１の距離より大きいことを判定することが含まれる、請求項８に記載のコンピュータベースの装置。
【請求項１０】
前記ＰＢ全体が、前記処理方向に全長を含み、
前記プロセッサが、前記コンピュータ可読命令を実行して、前記第１のマーキングと前記第２のマーキングとの間の前記処理方向の距離を判定するよう設定され、
前記複数のマーキングのうちの少なくとも１つのマーキングが、前記少なくとも１つの閾値に適合していないことを判定することには、前記距離が前記全長の２分の１とほぼ同じ場合にのみ、前記判定を行うことが含まれる、請求項９に記載のコンピュータベースの装置。
【請求項１１】
前記少なくとも１つの閾値には、第２の距離が含まれ、
前記複数のマーキングのうちの少なくとも１つのマーキングが、前記少なくとも１つの閾値に適合していないことを判定することには、前記第１の差が、前記第２の距離より小さいことを判定することが含まれる、請求項９に記載のコンピュータベースの装置。
【請求項１２】
前記ＰＢは、前記処理方向に第１の端及び第２の端を含み、
前記複数のマーキングには、
前記第１の端に隣接する第１の複数の内側のマーキングと、
前記第２の端に隣接する第２の複数の外側のマーキングと、が含まれ、
前記複数のマーキングのうちの少なくとも１つのマーキングが、前記少なくとも１つの閾値に適合していないことを判定することには、少なくとも１つの内側のマーキング及び少なくとも１つの外側のマーキングの両方が、前記少なくとも１つの閾値に適合していないことを判定することが含まれる、請求項８に記載のコンピュータベースの装置。
【請求項１３】
前記少なくとも１つの閾値には、第１の距離が含まれ、
少なくとも１つの内側のマーキング及び少なくとも１つの外側のマーキングの両方が、前記少なくとも１つの閾値に適合していないことを判定することには、
最も小さいそれぞれの位置合せの差を有する第１の内側のマーキング、及び最も小さいそれぞれの位置合せの差を有する第１の外側のマーキングを特定することと、
最も大きいそれぞれの位置合せの差を有する第２の内側のマーキング、及び最も大きいそれぞれの位置合せの差を有する第２の外側のマーキングを特定することと、
前記第１の内側のマーキングに関する前記最も小さいそれぞれの位置合せの差と、前記第２の内側のマーキングに関する前記最も大きいそれぞれの位置合せの差との間の第１の差を判定することと、
前記第１の外側のマーキングに関する前記最も小さいそれぞれの位置合せの差と、前記第２の外側のマーキングに関する前記最も大きいそれぞれの位置合せの差との間の第２の差を判定することと、
前記第１の差及び前記第２の差の両方が、前記第１の距離より大きいことを判定することと、が含まれる請求項１２に記載のコンピュータベースの装置。
【請求項１４】
請求項１３に記載のコンピュータベースの装置であって、
前記少なくとも１つの閾値には、第２の距離が含まれ、
少なくとも１つの内側のマーキング及び少なくとも１つの外側のマーキングの両方が、前記少なくとも１つの閾値に適合していないことを判定することには、前記第１の差及び前記第２の差の各々が、前記第２の距離より小さいことを判定することが含まれる、装置。
【請求項１５】
処理方向に移動するよう設定された感光体ベルト（ＰＢ）を含むカラー印刷機に関する予防メンテナンスを検知するコンピュータベースの方法であって、
コンピュータのメモリ素子内に、
第１の距離と、
コンピュータ可読命令と、
前記ＰＢの表面上の第１の色に関連する、複数のマーキングに関する位置合せデータと、を記憶するステップであって、前記位置合せデータは、前記複数のマーキングのうちの各マーキングに関する、それぞれの実際の位置とそれぞれの元の位置との間の、前記処理方向と直交する横方向の、それぞれの位置合せの差を含む、ステップと、
前記コンピュータに関するプロセッサを用いて前記コンピュータ可読命令を実行して、
最も小さいそれぞれの位置合せの差を有する第１のマーキングを特定し、
最も大きいそれぞれの位置合せの差を有する第２のマーキングを特定し、
前記最も小さいそれぞれの位置合せの差と、最も大きいそれぞれの位置合せの差との間の第１の差を判定し、
前記第１の差が、前記第１の距離より大きいことを判定し、
前記第１の差が、前記第１の距離より大きいという判定に応じて、前記ＰＢに関する位置ずれを特定し、
位置ずれの特定に応じて、前記ＰＢに対してメンテナンスが必要ということを示す信号を表示のために送信するステップと、を含む方法。
【請求項１６】
前記メモリ素子に第２の距離を記憶するステップと、
前記プロセッサを用いて前記コンピュータ可読命令を実行して、前記第１の差を前記第２の距離と比較するステップと、をさらに含み、
前記ＰＢに関する位置ずれを特定することには、前記第１の差が前記第１の距離より大きく、前記第２の距離より小さいことを判定することが含まれる、請求項１５に記載のコンピュータベースの方法。
【請求項１７】
前記ＰＢは、前記処理方向に第１の端及び第２の端を含み、
前記複数のマーキングには、
前記第１の端に隣接する第１の複数の内側のマーキングと、
前記第２の端に隣接する第２の複数の外側のマーキングと、が含まれ、
前記ＰＢに関する位置ずれを特定することには、少なくとも１つの内側のマーキング及び少なくとも１つの外側のマーキングの両方が、前記少なくとも１つの閾値に適合していないことを判定することが含まれる、請求項１５に記載のコンピュータベースの方法。
【請求項１８】
処理方向に移動するよう設定された感光体ベルト（ＰＢ）を含むカラー印刷機に関する予防メンテナンスを検知するコンピュータベースの装置であって、
第１の距離と、コンピュータ可読命令と、前記ＰＢの表面上の第１の色に関連する複数のマーキングに関する位置合せデータとを記憶するよう設定された、コンピュータに関するメモリ素子であって、前記位置合せデータは、前記複数のマーキングのうちの各マーキングに関する、それぞれの実際の位置とそれぞれの元の位置との間の、前記処理方向と直交する横方向の、それぞれの位置合せの差を含む、メモリ素子と、
前記コンピュータ可読命令を実行して、
最も小さいそれぞれの位置合せの差を有する第１のマーキングを特定し、
最も大きいそれぞれの位置合せの差を有する第２のマーキングを特定し、
前記最も小さいそれぞれの位置合せの差と、前記最も大きいそれぞれの位置合せの差との間の第１の差を判定し、
前記第１の差が、前記第１の距離より大きいことを判定し、
前記第１の差が、前記第１の距離より大きいという判定に応じて、前記ＰＢに関する位置ずれを特定し、
位置ずれの特定に応じて、前記ＰＢに対してメンテナンスが必要ということを示す信号を表示のために送信するよう設定された、前記コンピュータに関するプロセッサとを含む、コンピュータベースの装置。
【請求項１９】
前記ＰＢは、前記処理方向に第１の端及び第２の端を含み、
前記複数のマーキングには、
前記第１の端に隣接する第１の複数の内側のマーキングと、
前記第２の端に隣接する第２の複数の外側のマーキングと、が含まれ、
前記ＰＢに関する位置ずれを特定することには、
最も小さいそれぞれの位置合せの差を有する第１の内側のマーキング、及び最も小さいそれぞれの位置合せの差を有する第１の外側のマーキングを特定することと、
最も大きいそれぞれの位置合せの差を有する第２の内側のマーキング、及び最も大きいそれぞれの位置合せの差を有する第２の外側のマーキングを特定することと、
前記第１の内側のマーキングに関する前記最も小さいそれぞれの位置合せの差と、前記第２の内側のマーキングに関する前記最も大きいそれぞれの位置合せの差との間の第１の差を判定することと、
前記第１の外側のマーキングに関する前記最も小さいそれぞれの位置合せの差と、前記第２の外側のマーキングに関する前記最も大きいそれぞれの位置合せの差との間の第２の差を判定することと、
前記第１の差及び前記第２の差の両方が、前記第１の距離より大きいことを判定することと、が含まれる、請求項１８に記載のコンピュータベースの装置。
【請求項２０】
前記メモリ素子が、第２の距離を記憶するよう設定され、
前記ＰＢに関する位置ずれを特定することには、前記第１の差及び前記第２の差の各々が、前記第２の距離より小さいことを判定することが含まれる、請求項１９に記載のコンピュータベースの装置。